(57)【要約】【課題】過電流等による異常発熱を防止して安全に使用できるとともに、プラグの接続時の不具合を防止できるアダプタを提供することにある。【解決手段】アダプタＡは、施工面Ｘにおける床面Ｙ近傍に設けられた埋め込みコンセント２００の一連用プレート２０１の幅寸法ｔ２と同じ大きさの幅寸法ｔ１を有するアダプタ本体１と、アダプタ本体１の後面から該後面の面方向に突出するとともに、前記後面の面方向に直交するアダプタ本体１の幅方向において並行する一対の栓刃２０，２１と、アダプタ本体１の幅方向の両側面に設けられるとともに、一対の栓刃２０，２１と電気的に接続されるプラグ３００用のコンセント部Ｃと、一対の栓刃２０，２１間に流れる電流値を検出し、該電流値が定格値を越えた際に検知信号を出力する過電流検知手段、及び検知信号を受け取った際に、電流値が定格値を越えたことを使用者に知らせる報知手段を有する回路ブロックを備える。【選択図】図１
2007103257.tif 000002
【特許請求の範囲】
【請求項１】
アダプタ本体と、アダプタ本体の後面から該後面の面方向に突出するとともに、前記後面の面方向に交差するアダプタ本体の幅方向において並行する一対の並行栓刃と、アダプタ本体の幅方向の側面に設けられるとともに、一対の並行栓刃と電気的に接続されるプラグ用のコンセント部と、一対の並行栓刃間に流れる電流値を検出し、該電流値が定格値を越えた際に検知信号を出力する過電流検知手段と、検知信号を受け取った際に、電流値が定格値を越えたことを使用者に知らせる報知手段とを備え、アダプタ本体における一対の並行栓刃間の中間位置から幅方向の側面までの間の長さ寸法は、連用形配線器具に用いられる一連用プレートにおける幅寸法の半分以上の大きさとしていることを特徴とするアダプタ。
【請求項２】
コンセント部は、アダプタ本体の幅方向の側面において、一対の並行栓刃に近接する位置に設けられていることを特徴とする請求項１に記載のアダプタ。
【請求項３】
報知手段は、検知信号を受け取った際に発光させる表示素子を有し、該表示素子の光をアダプタ外方に出射する窓孔は、アダプタ本体の前面側及び上面側の両側に開口した形状であることを特徴とする請求項１又は２に記載のアダプタ。
【請求項４】
表示素子は発光ダイオードであって、少なくとも過電流検知手段と発光ダイオードとは一のプリント基板上に実装され、プリント基板における過電流検知手段が実装された部位と発光ダイオードが実装された部位とは、分断されていることを特徴とする請求項３に記載のアダプタ。
【請求項５】
一対の並行栓刃からコンセント部への通電をオンオフするスイッチ装置を備えていることを特徴とする請求項１〜４のいずれか１項に記載のアダプタ。
【請求項６】
スイッチ装置の操作つまみは、アダプタ本体の前面において、一対の並行栓刃に近接する位置に設けられていることを特徴とする請求項５に記載のアダプタ。
【請求項７】
施工面に設けられた埋め込みコンセントに接続された際に、アダプタ本体の後面における施工面と対向する部位には、施工面と当接する突起部が設けられていることを特徴とする請求項６に記載のアダプタ。
【請求項８】
スイッチ装置は、波動スイッチであって、その操作つまみは、アダプタ本体とは別体のスイッチ本体の一面において、操作つまみがスイッチ本体の一面から面方向に突出しないように凹設された凹部の底面に設けられ、該凹部は、操作つまみの揺動軸方向に交差する方向における両側壁部が開口した形状に形成されていることを特徴とする請求項５に記載のアダプタ。
【発明の詳細な説明】
【技術分野】
【０００１】
本発明は、コンセントと、負荷等のプラグとの間に介装されるアダプタに関するものである。
【背景技術】
【０００２】
従来から、機能拡張等を目的として、コンセントと該コンセントに接続可能なプラグとの間にアダプタを介装することが行われている。
【０００３】
この種のアダプタとしては、例えば特許文献１に示すものが提供されており、この特許文献１に示すアダプタは、コンセントと、負荷等のプラグとの間の通電をオンオフするスイッチが内蔵されているものである。
【特許文献１】特開２００２−２０３６５１号公報（第１図）
【発明の開示】
【発明が解決しようとする課題】
【０００４】
ところで、上記の特許文献１のようなアダプタでは、コンセントと負荷等のプラグとの間の通電のオンオフを容易に行うことはできていたが、アダプタを介してコンセントに複数の負荷を接続した際等に、アダプタに定格値を越えた電流が流れたとしても、ブレーカがトリップ動作するまでは、アダプタに定格値を越えた電流が流れているかどうかがわからないため、ブレーカがトリップ動作するまでの間に、コンセントや、アダプタ、アダプタに接続した負荷等が異常発熱してしまうおそれがあった。
【０００５】
また、このようなアダプタに負荷等のプラグを接続する際には、埋め込みコンセント等に用いられる一連用プレートにプラグの栓刃が当たって一連用プレートに傷が入ったり、一連用プレートが邪魔になってプラグをアダプタに正しく接続できなくなったり、プラグをアダプタに接続した際にアダプタがコンセントから外れてしまうといった不具合が生じるおそれがあった。
【０００６】
本発明は上述の点に鑑みて為されたもので、その目的は、過電流等による異常発熱を防止して安全に使用できるとともに、プラグの接続時の不具合を防止できるアダプタを提供することにある。
【課題を解決するための手段】
【０００７】
上述の課題を解決するために、請求項１のアダプタの発明では、アダプタ本体と、アダプタ本体の後面から該後面の面方向に突出するとともに、前記後面の面方向に交差するアダプタ本体の幅方向において並行する一対の並行栓刃と、アダプタ本体の幅方向の側面に設けられるとともに、一対の並行栓刃と電気的に接続されるプラグ用のコンセント部と、一対の並行栓刃間に流れる電流値を検出し、該電流値が定格値を越えた際に検知信号を出力する過電流検知手段と、検知信号を受け取った際に、電流値が定格値を越えたことを使用者に知らせる報知手段とを備え、アダプタ本体における一対の並行栓刃間の中間位置から幅方向の側面までの間の長さ寸法は、連用形配線器具に用いられる一連用プレートにおける幅寸法の半分以上の大きさとしていることを特徴とする。
【０００８】
請求項２のアダプタの発明では、請求項１の構成に加えて、コンセント部は、アダプタ本体の幅方向の側面において、一対の並行栓刃に近接する位置に設けられていることを特徴とする。
【０００９】
請求項３のアダプタの発明では、請求項１又は２の構成に加えて、報知手段は、検知信号を受け取った際に発光させる表示素子を有し、該表示素子の光をアダプタ外方に出射する窓孔は、アダプタ本体の前面側及び上面側の両側に開口した形状であることを特徴とする。
【００１０】
請求項４のアダプタの発明では、請求項３の構成に加えて、表示素子は発光ダイオードであって、少なくとも過電流検知手段と発光ダイオードとは一のプリント基板上に実装され、プリント基板における過電流検知手段が実装された部位と発光ダイオードが実装された部位とは、分断されていることを特徴とする。
【００１１】
請求項５のアダプタの発明では、請求項１〜４のいずれか１項の構成に加えて、一対の並行栓刃からコンセント部への通電をオンオフするスイッチ装置を備えていることを特徴とする。
【００１２】
請求項６のアダプタの発明では、請求項５の構成に加えて、スイッチ装置の操作つまみは、アダプタ本体の前面において、一対の並行栓刃に近接する位置に設けられていることを特徴とする。
【００１３】
請求項７のアダプタの発明では、請求項６の構成に加えて、施工面に設けられた埋め込みコンセントに接続された際に、アダプタ本体の後面における施工面と対向する部位には、施工面と当接する突起部が設けられていることを特徴とする。
【００１４】
請求項８のアダプタの発明では、請求項５の構成に加えて、スイッチ装置は、波動スイッチであって、その操作つまみは、アダプタ本体とは別体のスイッチ本体の一面において、操作つまみがスイッチ本体の一面から面方向に突出しないように凹設された凹部の底面に設けられ、該凹部は、操作つまみの揺動軸方向に交差する方向における両側壁部が開口した形状に形成されていることを特徴とする。
【発明の効果】
【００１５】
請求項１のアダプタの発明は、一対の並行栓刃間に流れる電流値を検出し、該電流値が定格値を越えた際に検知信号を出力する過電流検知手段と、検知信号を受け取った際に、電流値が定格値を越えたことを使用者に知らせる報知手段とを備えるから、ブレーカがトリップ動作する前に、アダプタに流れる電流が定格値を越えたことを使用者に知らせることができ、これにより、異常発熱が生じたりすることを早期に防止できて、安全に使用することができるという効果を奏するとともに、アダプタ本体における一対の並行栓刃間の中間位置から幅方向の側面までの間の長さ寸法を、連用形配線器具に用いられる一連用プレートにおける幅寸法の半分以上の大きさとしているから、アダプタにプラグを接続する際に一連用プレートにプラグの栓刃が当たって一連用プレートに傷が入ったり、一連用プレートが邪魔になってプラグをアダプタに正しく接続できなくなったり、プラグをアダプタに接続した際にアダプタがコンセントから外れてしまうといったプラグの接続時の不具合を防止できるという効果を奏する。
【００１６】
請求項２のアダプタの発明は、請求項１の効果に加えて、アダプタ本体の幅方向の側面において、一対の並行栓刃に近接する位置にコンセント部を設けているから、コンセント部にプラグを接続する際等に一対の並行栓刃にかかるモーメント（主に一対の並行栓刃の突出方向を回転軸方向とするモーメント）を低減できて、並行栓刃の変形や、アダプタ本体等の破損を防止することができるという効果を奏する。
【００１７】
請求項３のアダプタの発明は、請求項１又は２の効果に加えて、報知手段は、検知信号を受け取った際に発光させる表示素子を有しているから、アダプタに流れる電流が定格値を越えていることを使用者に視覚的に報知できるという効果を奏し、しかも、表示素子の光をアダプタ外方に出射する窓孔が、アダプタ本体の前面側及び上面側の両側に開口した形状となっているから、例えば、壁面等の施工面における床面近傍に設けられた埋め込みコンセントにアダプタを接続した状態でも、表示素子の光が見易くなり、これにより使用者への報知を確実に行えるようになるという効果を奏する。
【００１８】
請求項４のアダプタの発明は、請求項３の効果に加えて、表示素子は発光ダイオードであって、少なくとも過電流検知手段と発光ダイオードとを一のプリント基板上に実装し、プリント基板における過電流検知手段が実装された部位と発光ダイオードが実装された部位とを、分断しているから、別々のプリント基板に過電流検知手段と発光ダイオードとを別個に実装する場合に比べて作業効率を向上できるという効果を奏する。
【００１９】
請求項５のアダプタの発明は、請求項１〜４のいずれか１項の効果に加えて、一対の並行栓刃からコンセント部への通電をオンオフするスイッチ装置を備えているから、コンセントとプラグとの間の通電をスイッチ装置によりオンオフすることができて、特に電流が定格値を越えた際に、素早い対応が可能になるという効果を奏する。
【００２０】
請求項６のアダプタの発明は、請求項５の効果に加えて、アダプタ本体の前面において、一対の並行栓刃に近接する位置にスイッチ装置の操作つまみを設けているから、操作つまみの操作時に、並行栓刃にかかるモーメント（主にアダプタ本体の幅方向を回転軸方向とするモーメント）を低減でき、これにより操作つまみの操作時にアダプタ本体が傾いてコンセントに接続した並行栓刃が一部露出したりすることを抑制できるという効果を奏する。
【００２１】
請求項７のアダプタの発明は、請求項６の効果に加えて、施工面に設けられた埋め込みコンセントに接続した際に、アダプタ本体の後面における施工面と対向する部位に設けた突起部が施工面と当接するから、操作つまみの操作時に並行栓刃にはモーメント（主にアダプタ本体の幅方向を回転軸方向とするモーメント）がかからなくなり、これにより操作つまみの操作時にアダプタ本体が傾くことがなくなってコンセントに接続した並行栓刃が一部露出することを防止できるという効果を奏し、しかも、アダプタ本体の設置状態が安定するため、操作つまみの操作を行い易くなるという効果を奏する。
【００２２】
請求項８のアダプタの発明は、請求項５の効果に加えて、波動スイッチからなるスイッチ装置の操作つまみを、アダプタ本体とは別体のスイッチ本体に設けているから、スイッチ本体を操作しやすい高さに設置することが可能となり、これによりアダプタ本体にスイッチ装置の操作つまみを設ける場合に比べて、スイッチ装置の操作がし易くなるという効果を奏し、また、スイッチ装置の操作つまみを、スイッチ本体の一面から面方向に突出しないように凹設された凹部の底面に設けているから、使用者の身体等が操作つまみに当たって、予期せずにスイッチ装置の操作が行われてしまうことを防止できるという効果を奏し、しかも、前記凹部は、操作つまみの揺動軸方向に交差する方向における両側壁部が開口しているから、操作つまみを操作する際に、前記両側壁部が邪魔になることがなくなって、操作つまみの操作性を向上できるという効果を奏する。
【発明を実施するための最良の形態】
【００２３】
以下、本発明のアダプタの実施形態について図１〜図１４を参照して説明する。
【００２４】
（実施形態１）
本実施形態のアダプタＡは、図１及び図２に示すように、壁面等の施工面Ｘにおける床面Ｙ近傍（図中にｄで示す長さが約３０ｃｍ）に設けられた埋め込みコンセント２００と該コンセント２００に接続可能なプラグ３００との間に介装されるアダプタ部Ａ１と、コード５によってアダプタ部Ａ１に連結されて、アダプタ部Ａ１内でのコンセント２００とプラグ３００との間の通電をオンオフするスイッチ部Ａ２とを備えている。尚、以下の説明では、図２（ａ）の上方をアダプタＡの上方とし、図２（ａ）の下方をアダプタＡの下方とし、図２（ａ）の紙面手前方をアダプタＡの前方とし、図２（ａ）の紙面奥方をアダプタＡの後方とし、図２（ａ）の左右方向をアダプタＡの幅方向とするが、これは説明の簡略化のためであって、アダプタの使用形態が上記の方向に限られることを意味するものではない。
【００２５】
アダプタ部Ａ１は、図１（ａ）〜（ｃ）に示すように、アダプタ本体１と、アダプタ本体１の後面から該後面の面方向に突出するとともに、前記後面の面方向に交差する（本実施形態では直交する）アダプタ本体１の幅方向（図１（ａ）における左右方向）において並行する一対の並行栓刃（以下、単に「栓刃」と称する）２０，２１と、アダプタ本体１の幅方向の両側面に設けられるとともに、一対の栓刃２０，２１と電気的に接続されるプラグ３００用のコンセント部Ｃと、一対の栓刃２０，２１間に流れる電流値を検出し、該電流値が定格値を越えた際に検知信号を出力する過電流検知手段である過電流検知回路、及び検知信号を受け取った際に、電流値が定格値を越えたことを使用者に知らせる報知手段である報知回路を有する回路ブロック４（図３参照）とを備えている。
【００２６】
最初に、アダプタ本体１に収納される部材について説明する。一対の栓刃２０，２１のうち一方の栓刃２０は、導電性を有する金属板を打ち抜き加工することで形成されており、先部が基部よりも狭幅となった平板部２０ａと、平板部２０ａの下端面から延設された略Ｌ字状の端子部２０ｂとを一体に備えている。また、他方の栓刃２１は、導電性を有する金属板を打ち抜き加工した後に曲成することで形成されており、先部が基部よりも狭幅となった平板部２１ａと、平板部２１ａの下端面から延設された略Ｌ字状の端子部２１ｂと、平板部２１ａの前端面からアダプタＡの左方へ延設された取付部２１ｃとを一体に備えている。
【００２７】
第１の端子板３０は、導電性を有する金属板を打ち抜き加工した後に曲成することで形成されており、アダプタＡの幅方向一端側（図５（ａ）における右端側）から挿入されるプラグの栓刃が接触接続される一対の刃受ばね３０ａ，３０ａと、アダプタＡの幅方向他端側（図５（ａ）における左端側）から挿入されるプラグの栓刃が接触接続される一対の刃受ばね３０ｂ，３０ｂと、これら一対の刃受ばね間を連結する連結片３０ｃと、連結片３０ｃから後方に延設された端子片３０ｄとを一体に備えている。
【００２８】
第２の端子板３１は、導電性を有する金属板を打ち抜き加工した後に曲成することで形成されており、アダプタＡの幅方向一端側（図５（ａ）における右端側）から挿入されるプラグの栓刃が接触接続される一対の刃受ばね３１ａ，３１ａと、アダプタＡの幅方向他端側（図５（ａ）における左端側）から挿入されるプラグの栓刃が接触接続される一対の刃受ばね３１ｂ，３１ｂと、これら一対の刃受ばね間を連結する連結片３１ｃとを一体に備えている。そして、この第２の端子板３１の連結片３１ｃにおける一対の刃受ばね３１ａ，３１ａ側の後面部には、栓刃２１の取付部２１ｃがかしめ固定や半田付けによって固定されて、図３に示すように、栓刃２１と第２の端子板３１とが電気的且つ機械的に接続される。
【００２９】
回路ブロック４は、所定の配線パターンが形成されたプリント基板４０Ａ，４０Ｂと、プリント基板４０Ａに実装されたカレントトランス４１を含む電子部品群から構成された過電流検知回路と、プリント基板４０Ｂに実装された表示素子である発光ダイオード４２、及びプリント基板４０Ａに実装された発音素子であるブザー４３、並びに図示しない電子部品から構成された報知回路と、回路ブロック４上で直列に接続されて過電流検知回路に検出用の電流を引き込むための分流線を構成する接続線Ｌ１，Ｌ２と、動作電源を得るための接続線Ｌ３と、プリント基板４０Ａとプリント基板４０Ｂとを電気的に接続する接続線４７，４８とを備えている。
【００３０】
プリント基板４０Ａは、図５（ａ）に示すように、アダプタＡの幅方向を長手方向とする略矩形板状のものであって、その幅方向一端側（図５（ａ）における右端側）の縁部にプリント基板４０Ａ固定用の切欠部４０ａが形成されており、また幅方向他端側（図５（ｂ）における左端側）には、プリント基板４０Ａをアダプタ本体１に取り付けるための取付ねじＳ１用のねじ挿通孔４０ｂが貫設されている。そして、このプリント基板４０Ａには、過電流検知回路を構成するカレントトランス４１を含む電子部品群と、報知回路の発光ダイオード４２を除く電子部品群とが実装される。
【００３１】
プリント基板４０Ｂは、略正方形状のものであって、接続線４７，４８によってプリント基板４０Ａの報知回路を構成する回路部と電気的に接続されるとともに、発光ダイオード４２が実装されており、発光ダイオード４２のアノード端子４２ａとカソード端子４２ｂとは、上記接続線４７，４８に各別に接続されている。
【００３２】
過電流検知回路は、接続線Ｌ２が貫挿されるカレントトランス４１を含む電子部品群をプリント基板４０Ａに実装してなり、例えば、接続線Ｌ１，Ｌ２に流れる電流の大きさをカレントトランス４１により検出することによって、一対の栓刃２０，２１間に流れる電流値を検出する電流検出回路や、電流検出回路の出力と所定の閾値とを比較し、出力が閾値を越えた際に、電流値が所定の定格値（例えば１５Ａ）を越えたことを示す検知信号を出力する比較回路等を備えている。尚、このような電流検出回路や比較回路等の回路構成は、従来から周知のものを用いることが可能であるから、本実施形態では詳細な説明は省略する。また尚、過電流検知回路としては、カレントトランス４１を用いるものに限られるものではなく、状況に応じて適宜変更してもよい。
【００３３】
報知回路は、プリント基板４０Ｂに実装された発光ダイオード４２と、プリント基板４０Ａに実装されたブザー４３と、プリント基板４０Ａに実装された電子部品（図示せず）からなる制御回路等とで構成され、検知信号を受け取った際に、制御回路の指示によって発光ダイオード４２及びブザー４３に動作電源を供給し、発光ダイオード４２を発光させるとともに、ブザー４３から警報音を出力させることにより電流値が定格値を越えたことを使用者に知らせるようになっている。尚、制御回路等の回路構成については、従来から周知のものを用いることが可能であるから、本実施形態では詳細な説明は省略する。
【００３４】
ここにおいて、発光ダイオード４２は、砲弾型の発光ダイオードであって、その光色としては、使用者の注意を引きやすい赤色のものを用いているが、赤色に限らず、橙色や黄色等、その他の光色のものであってもよい。
【００３５】
ブザー４３は、例えば圧電型のものであって、厚み方向に分極された略円形状の圧電セラミックス薄板（圧電素子）４３ａと、略円形状の薄い金属板４３ｂとを貼り合わせて構成され、圧電セラミックス薄板４３ａに接続線４３ｃが接続されるとともに、金属板４３ｂに接続線４３ｄが接続されている。そして、ブザー４３は、接続線４３ｃ，４３ｄを用いてプリント基板４０Ａに実装されており、報知回路の制御回路によって、接続線４３ｃ，４３ｄ間に電圧が印加されることで、所定の警報音を出力する。尚、本実施形態では、発音素子として圧電型のブザー５を用いているが、この他の動作方式のブザー（例えば電磁ブザー等）を用いてもよく、また、音声によって警告を行うためにスピーカ等を用いてもよく、電気音響変換器であれば目的を達成できる。
【００３６】
ところで、この回路ブロック４のプリント基板４０Ａ，４０Ｂは、図６（ａ），（ｂ）に示すように、一のプリント基板４０から分断されたものであって、プリント基板４０において過電流検知回路の電子部品群と報知回路の発光ダイオード４２を除く電子部品群とが実装された部位をプリント基板４０Ａとして用い、プリント基板４０において発光ダイオード４２が実装された部位をプリント基板４０Ｂとして用いている。すなわち、プリント基板４０に必要な部品を実装してから、プリント基板４０を分断して各部品が実装されたプリント基板４０Ａとプリント基板４０Ｂとを得るようにしているから、別々のプリント基板に、過電流検知回路を構成する電子部品等と発光ダイオードとを別個に実装する場合に比べて作業効率を向上できる。
【００３７】
一方、プリント基板４０の分断を行う際には、例えば図６（ｃ），（ｄ）に示すように、予め分断する部分を示す分断線４６を設けておき、各電子部品等の実装後にニッパー等を用いて分断する方法が考えられるが、このようなニッパーを用いての分断は非常に手間がかかる上に分断面が歪になりやすく、また分断時に誤って接続線４７，４８をニッパーで切断してしまうおそれがあった。
【００３８】
そのため、本実施形態のプリント基板４０では、図６（ａ）に示すように、予め分断用のスリット４４を設けて連結片４５のみでプリント基板４０Ａ，４０Ｂ間を連結するようにしてあり、連結片４５を手等で折ることで容易にプリント基板４０Ａ，４０Ｂの分断が行えるようにしている。また、連結片４５は、分断し易いように他の部位よりも薄肉に形成してあり、さらに、孔部４５ａ，４５ａを連結片４５に貫設することによっても、分断を容易に行えるようにしている。
【００３９】
コード５は、アダプタ部Ａ１とスイッチ部Ａ２とを連結するために用いられ、一対の芯線５ａ，５ｂを備えている。そして、このコード５は、芯線５ａ，５ｂの一端側を栓刃２０及び第１の端子板３０にそれぞれ電気的に接続した状態で、芯線５ａ，５ｂの他端側がアダプタ本体１から外方へ引き出されて、スイッチ部Ａ２のスイッチ装置８に接続される。
【００４０】
ブッシング６は、コード５の外周を覆って内部の芯線５ａ，５ｂの屈曲による断線を防止するためのもので、コード５を囲繞する筒部６０と、筒部６０の一端側に設けられたブッシング固定用の鍔部６１とを一体に備えたゴム等の樹脂成形品からなる。
【００４１】
次に、これらの部材を収納するアダプタ本体１について説明する。アダプタ本体１は、図３に示すように、後面が開口した箱状のアダプタボディ１０と、アダプタボディ１０の後面開口を覆うアダプタカバー１６とで構成されており、これらアダプタボディ１０とアダプタカバー１６は、ともに合成樹脂製のものであり、その幅寸法ｔ１は、図１（ａ），（ｂ）に示すように、埋め込みコンセント２００等の連用形配線器具に用いられる一連用プレート２０１における幅寸法ｔ２（一般的には７０ｍｍ）と同じ大きさとしている。
【００４２】
アダプタボディ１０は、上述したように後面が開口した箱状に形成されており、その内部は、図５（ａ）に示すように、上側の幅方向中央部の表示素子収納部１１と、表示素子収納部１１より下方の端子収納部１２と、端子収納部１２より下方の回路収納部１３とに仕切られている。
【００４３】
ここにおいて、表示素子収納部１１は、発光ダイオード４２をプリント基板４０Ｂとともに収納するための空間部であり、表示素子収納部１１における幅方向の両内壁部１１ａ，１１ａには、幅方向において対向する部位にプリント基板４０Ｂの縁部が嵌入される溝部１１ｂ，１１ｂが形成されている。また、アダプタボディ１０において表示素子収納部１１に対応する部位には、表示素子収納部１１内に収納した発光ダイオード４２の光をアダプタ部Ａ１外方へ出射させる窓孔１１ｃが形成されており、この窓孔１１ｃは、アダプタボディ１０の前面側及び上面側（つまりはアダプタ本体１の前面側及び上面側）の両側に開口した形状となっている。このようなアダプタボディ１０の窓孔１１ｃには、図１（ａ），（ｂ）に示すように、ランプカバー１５が取り付けられており、このランプカバー１５は、例えば、透光性の樹脂を用いた樹脂成形品であって、窓孔１１ｃの全面を覆うカバー部１５ａと、カバー部１５ａの後端面から後方へ突設された一対の取付爪１５ｂ，１５ｂとを一体に備え、取付爪１５ｂ，１５ｂを窓孔１１ｃからアダプタボディ１０内に差し入れて、表示素子収納部１１の両内壁部１１ａ，１１ａの後端面にそれぞれ引掛けることで、アダプタボディ１０に固定される。また、取付爪１５ｂ，１５ｂは、その上端面がプリント基板４０Ｂに当接されており、これによりランプカバー１５がアダプタボディ１０の上側に移動しないように位置決めされる。
【００４４】
端子収納部１２は、栓刃２０、２１、及び端子板３０，３１を収納するための空間部であり、隔壁１２ｅによってアダプタボディ１０の上下方向に２分されて、下側が第１の端子板３０を収納する第１収納部１２Ａとして用いられ、上側が各栓刃２０，２１及び第２の端子板３１を収納する第２収納部１２Ｂとして用いられる。また、第１収納部１２Ａにおける長手方向両側壁部（アダプタボディ１０の幅方向における両側壁部）には、アダプタボディ１０の内外を連通する開口部１２ａ，１２ｂが形成されている。同様に、第２収納部１２Ｂにおける長手方向両側壁部（アダプタボディ１０の幅方向における両側壁部）には、アダプタボディ１０の内外を連通する開口部１２ｃ，１２ｄが形成されており、さらに、第２収納部１２Ｂにおける短手方向（図５（ａ）における上下方向）の側壁部には、栓刃２０を固定するための溝部１２ｆ，１２ｇと、栓刃２１を固定するための溝部１２ｈ，１２ｉとがそれぞれ形成されている。
【００４５】
回路収納部１３は、主に回路ブロック４を収納するための空間部であり、幅方向の一端側（図５（ａ）における右端側）には、回路ブロック４固定用のリブ１３ａが設けられ、幅方向の他端側（図５（ａ）における左端側）には、回路ブロック４取付用の取付ねじＳ１が螺着されるねじ孔１３ｂを備えた円筒状のボス部１３ｃが設けられている。また、回路収納部１３の底壁部にあたるアダプタボディ１０の前壁部には、ブザー４３が嵌入される略円筒形状のリブ１３ｄが設けられるとともに、アダプタボディ１０の前壁部におけるリブ１３ｄで囲まれた部位にはブザー４３により出力される音をアダプタ本体１から外部へ伝搬するための孔等を備えたスピーカ部１３ｅが設けられている。さらに、この回路収納部１３における下壁部（アダプタボディ１０の下壁部）の幅方向中央部には、スイッチ部Ａ２のスイッチ装置８との接続に用いられるコード５引出し用の開口１３ｆが形成されており、回路収納部１３における開口１３ｆの近傍には、コード５に被せるブッシング６の鍔部６１が嵌入される溝部１３ｇと、コード５の張力止め用のリブ１３ｈ，１３ｉが設けられている。
【００４６】
尚、アダプタボディ１０の前壁部における後面の四隅部には、アダプタカバー１６をアダプタボディ１０に結合するための組立ねじＳ２が螺着されるねじ孔１４ａを備えた円筒状のボス部１４が一体に突設されている。
【００４７】
アダプタカバー１６は、図３に示すように、前面が開口した箱状に形成されており、その幅方向における一方の側壁部には、アダプタボディ１０の開口部１２ａ，１２ｃとそれぞれ連通してプラグの栓刃が挿入される一対の栓刃挿入孔１７ａ，１７ｂを構成する開口部１６ａ，１６ｃが形成されている。同様に、アダプタカバー１６の幅方向における他方の側壁部には、図１（ｃ）に示すように、アダプタボディ１０の開口部１２ｂ，１２ｄとそれぞれ連通してプラグの栓刃が挿入される一対の栓刃挿入孔１８ａ，１８ｂを構成する開口部１６ｂ，１６ｄが形成されている。
【００４８】
また、アダプタカバー１６の下壁部における幅方向中央部には、アダプタボディ１０の開口１３ｆとともに、コード５の引出しに用いられる開口１６ｅが形成されている。尚、図３中には示されていないが、アダプタカバー１６においても、アダプタボディ１０と同様にブッシング６の鍔部６１が嵌入される溝部が設けられている。
【００４９】
一方、アダプタカバー１６の底壁部（アダプタ本体１の後壁部）には、アダプタボディ１０に固定された栓刃２０及び栓刃２１をそれぞれ外方へ突出するための略矩形状の挿通孔１６ｆ，１６ｇが形成されている。さらに、前記底壁部の四隅部において、アダプタボディ１０のねじ孔１４ａに対応する部位には、アダプタカバー１６をアダプタボディ１０に結合するための組立ねじＳ２が挿通されるねじ挿通孔１６ｈが設けられており、アダプタカバー１６をアダプタボディ１０に被せた際には、各ねじ挿通孔１６ｈとねじ孔１４ａとがそれぞれ連通するようにしている。
【００５０】
アダプタ部Ａ１は、上記の部材から構成されており、以下にアダプタ部Ａ１の組み立て方法について簡単に説明する。
【００５１】
まず、栓刃２０，２１と端子板３０，３１とをアダプタボディ１０の端子収納部１２に収納するのであるが、この作業は、次のようにして行われる。すなわち、図５（ａ）に示すように、第１の端子板３０を、端子収納部１２の第１収納部１２Ａに、一方の刃受ばね３０ａ，３０ａを開口部１２ａから、他方の刃受ばね３０ｂ，３０ｂを開口部１２ｂから外部に臨ませた状態で収納するとともに、上述したように栓刃２１が固定された第２の端子板３１を、端子収納部１２の第２収納部１２Ｂに、一方の刃受ばね３１ａ，３１ａを開口部１２ｃから、他方の刃受ばね３１ｂ，３１ｂを開口部１２ｄから外部に臨ませ、且つ、栓刃２１の平板部２１ａの基部を溝部１２ｈ，１２ｉに嵌入した状態で収納する。この後に、栓刃２０の平板部２０ａの基部を第２収納部１２Ｂの溝部１２ｆ，１２ｇに嵌入することで、栓刃２０をアダプタボディ１０に固定する。このとき、栓刃２０と第２の端子板３１とが接触導通しないようにしてあり、栓刃２０の平板部２０ａにおいて第２の端子板３１と対向する部位には、図３に示すように、絶縁距離確保用の切欠２０ｃが形成されている。
【００５２】
次に、回路ブロック４のブザー４３を回路収納部１３のリブ１３ｄに嵌入することで、ブザー４３をアダプタボディ１０に固定し、回路ブロック４のプリント基板４０Ｂを表示素子収納部１１の溝部１１ｂ、１１ｂ間に嵌入することで、プリント基板４０Ｂをアダプタボディ１０に固定する。このとき、発光ダイオード４２の光軸をアダプタ本体１の前方に対してやや上方に向けた状態で、発光ダイオード４２を、ランプカバー１５が取り付けられた窓孔１１ｃからアダプタ本体１の外方へ臨ませる。また、コード５の芯線５ａの一端側を栓刃２０の端子部２０ｂに、芯線５ｂの一端側を第１の端子板３０の端子片３０ｄにそれぞれ絡げて半田付け等により接続するとともに、コード５の芯線５ａ，５ｂの他端側を張力止め用のリブ１３ｈ，１３ｉ間の隙間を通してアダプタボディ１０の開口１３ｆから外部へ引き出し、且つコード５に被せておいたブッシング６の鍔部６１を溝部１３ｇに嵌入する。
【００５３】
この後に、回路ブロック４のプリント基板４０Ａを、プリント基板４０Ａの切欠部４０ａとリブ１３ａとを凹凸嵌合させるとともに、プリント基板４０Ａのねじ挿通孔４０ｂを介して組立ねじＳ１をボス部１３ｃのねじ孔１３ｂに螺着することで、アダプタボディ１０に固定する。そして、回路ブロック４の接続線Ｌ１を芯線５ｂの分岐用部位Ｒ（図５（ａ）参照）に、カレントトランス４１を貫挿させた接続線Ｌ２を第１の端子板３０の端子片３０ｄに、接続線Ｌ３を栓刃２１の端子部２１ｂに、それぞれ半田付け等により接続する。
【００５４】
最後に、アダプタボディ１０とアダプタカバー１６とを結合するのであるが、この作業は、アダプタボディ１０に固定した栓刃２０，２１をアダプタカバー１６の挿通孔１６ｆ，１６ｇからそれぞれ後方へ突出させるとともに、コード５をアダプタカバー１６の開口１６ｅからアダプタ本体１の外方へ引き出し、且つブッシング６の鍔部６１をアダプタカバー１６に設けた溝部（図示せず）に嵌入させた状態で、アダプタカバー１６をアダプタボディ１０に被せ、アダプタカバー１６のねじ挿通孔１６ｈを介して組立ねじＳ２をアダプタボディ１０のボス部１４のねじ孔１４ａにそれぞれ螺着することで行われる。
【００５５】
これにより、図１（ａ）〜（ｃ）に示すようなアダプタ部Ａ１が完成し、このアダプタ部Ａ１では、アダプタボディ１０の開口部１２ａ，１２ｃとアダプタカバー１６の開口部１６ａ，１６ｃとからなる一対の栓刃挿入孔１７ａ，１７ｂと、各栓刃挿入孔１７ａ，１７ｂに対応して配置された各一対の刃受ばね３０ａ，３０ａ及び刃受ばね３１ａ，３１ａとによって、プラグ３００が接続されるコンセント部Ｃが構成され、同様に、アダプタボディ１０の開口部１２ｂ，１２ｄとアダプタカバー１６の開口部１６ｂ，１６ｄとからなる一対の栓刃挿入孔１８ａ，１８ｂと、各栓刃挿入孔１８ａ，１８ｂに対応して配置された各一対の刃受ばね３０ｂ，３０ｂ及び刃受ばね３１ｂ，３１ｂとによって、プラグ３００が接続されるコンセント部Ｃが構成されている。つまり、このアダプタ部Ａ１は、後面にコンセント２００に接続する一対の栓刃２０，２１を備えるとともに、幅方向における両側面に、プラグ３００が接続されるコンセント部Ｃをそれぞれ備えているのである。
【００５６】
一方、スイッチ部Ａ２は、図２（ａ），（ｂ）に示すように、スイッチ装置８の操作によって、アダプタ部Ａ１の一対の栓刃２０，２１とコンセント部Ｃとの間の通電をオンオフするためのものであり、アダプタ本体１とは別体のスイッチ本体７と、スイッチ本体７に収納されて、アダプタ部Ａ１における一対の栓刃２０，２１からコンセント部Ｃ，Ｃへの通電をオンオフするスイッチ装置８とを備えている。
【００５７】
ここにおいて、スイッチ装置８は、波動スイッチ（シーソースイッチともいう）であって、コード５の芯線５ａ，５ｂの他端側がそれぞれかしめ固定される一対の端子部８ａ，８ｂと、これら端子部８ａ，８ｂ間の通電をオンオフする接点機構（図示せず）と、接点機構を操作するための操作つまみ８ｃと、これらが収納される本体部８ｄとを備えている。
【００５８】
スイッチ本体７は、図４に示すように、前面が開口した長尺箱状のスイッチボディ７０と、スイッチボディ７０の前面開口を覆うスイッチカバー７１とで構成されており、これらスイッチボディ７０とスイッチカバー７１は、ともに合成樹脂製のものである。
【００５９】
スイッチボディ７０は、上述したように前面が開口した長尺箱状に形成されており、その長手方向一端側（図５（ｂ）における下端側）の側壁部の幅方向中央部には、コード５引出し用の開口７０ａが形成されており、開口７０ａの近傍には、コード５に被せるブッシング６の鍔部６１が嵌入される溝部７０ｂと、コード５の張力止め用のリブ７０ｃが設けられている。また、スイッチボディ７０の底壁部における長手方向一端側（図５（ｂ）における下端側）には、スイッチボディ７０とスイッチカバー７１とを結合するための組立ねじＳ３が挿通されるねじ挿通孔７０ｄを有する円筒状のボス部７０ｅが一体に突設されており、また、上記底壁部における長手方向他端側（図５（ｂ）における上端側）には、スイッチ部Ａ２を壁面等の施工面に設けたフックやねじ等に引掛けるためのだるま孔７０ｆが貫設されている。
【００６０】
スイッチカバー７１は、図４に示すように、後面が開口した長尺箱状に形成されており、その長手方向一端側の側壁部には、スイッチボディ７０の開口７０ａとともに、コード５の引出しに用いられる開口７１ａが形成されている。また、図４中には示されていないが、スイッチカバー７１には、スイッチボディ７０と同様にブッシング６の鍔部６１が嵌入される溝部と、コード５の張力止め用のリブとが設けられている。さらに、スイッチボディ７０のねじ挿通孔７０ｄに対応するスイッチカバー７１の部位には、ねじ挿通孔７０ｄを挿通した組立ねじＳ３が螺着されるねじ孔（図示せず）が設けられている。
【００６１】
一方、スイッチカバー７１の前面には、図４に示すように、凹部７１ｂが設けられており、この凹部７１ｂの底面には、スイッチ装置８の操作つまみ８ｃを外方へ突出させる開口部７１ｃが形成されている。ここで、図２（ｂ）に示すように、凹部７１ｂの深さ寸法ｔ３（つまり、スイッチカバー７１の前面と凹部７１ｂの底面との間の長さ寸法）は、開口部７１ｃから操作つまみ８ｃを突出させた際に、操作つまみ８ｃがスイッチカバー７１の前面よりも面方向に突出しないような大きさに設定されている。さらに、この凹部７１ｂは、スイッチカバー７１の幅方向における両側壁部が開口した形状に形成されている。
【００６２】
スイッチ部Ａ２は、上記の部材から構成されており、以下にスイッチ部Ａ２の組み立て方法について簡単に説明する。
【００６３】
まず、スイッチ装置８をスイッチボディ７０に収納するのであるが、このときスイッチ装置８の操作つまみ８ｃの揺動軸方向をスイッチボディ７０の長手方向に沿わせた状態とすることで、スイッチ本体７の幅方向が操作つまみ８ｃの揺動軸方向に交差する方向となるようにしておく。この後に、コード５の芯線５ａの他端側をスイッチ装置８の端子部８ａに、芯線５ｂの他端側を端子部８ｂにそれぞれかしめ固定するとともに、コード５の芯線５ａ，５ｂの一端側をスイッチボディ７０の開口７０ａから外部へ引き出し、且つコード５に被せておいたブッシング６の鍔部６１を溝部７０ｂに嵌入する。
【００６４】
この後に、スイッチボディ７０とスイッチカバー７１とを結合するのであるが、この作業は、スイッチボディ７０に収納したスイッチ装置８の操作つまみ８ｃをスイッチカバー７１の開口部７１ｃから外方へ突出させるとともに、コード５をスイッチカバー７１の開口７１ａからスイッチ本体７の外方へ引き出し、且つブッシング６の鍔部６１をスイッチカバー７１に設けた溝部（図示せず）に嵌入させた状態で、スイッチカバー７１をスイッチボディ７０に被せ、スイッチボディ７０のねじ挿通孔７０ｄを介して組立ねじＳ３をスイッチカバー７１のねじ孔（図示せず）にそれぞれ螺着することで行われ、これにより、図２（ａ），（ｂ）に示すようなスイッチ部Ａ２が完成する。尚、このスイッチ部Ａ２では、スイッチボディ７０の張力止め用のリブ７０ｃと、スイッチカバーの張力止め用のリブとによって、コード５の芯線５ａ，５ｂがそれぞれ狭持され、これによりコード５の張力止めがなされている。
【００６５】
以上説明したように、本実施形態のアダプタＡは、上述したアダプタ部Ａ１と、スイッチ部Ａ２とを備えており、アダプタ部Ａ１は、図１（ａ）〜（ｃ）に示すような埋め込みコンセント２００に一対の栓刃２０，２１を用いて接続されるとともに、コンセント部Ｃにプラグ３００が接続された状態で使用される。また、スイッチ部Ａ２は、壁面等の施工面Ｘに取り付けられた状態で使用される。
【００６６】
そして、この状態では、コンセント２００、栓刃２０、コード５の芯線５ａ、スイッチ装置８の端子部８ａ、スイッチ装置８の接点機構、スイッチ装置８の端子部８ｂ、コード５の芯線５ｂ、第１の端子板３０、プラグ３００、第２の端子板３１、栓刃２１、コンセント２００の経路が構成されているので、スイッチ装置８の操作つまみ８ｃを操作することによって、コード５の芯線５ａ，５ｂ間の通電、すなわち、アダプタ部Ａ１における栓刃２０と、第１の端子板３０との間の通電がオンオフされることになり、これによりコンセント２００からプラグ３００へ電力供給のオンオフを行うことができるようになっている。
【００６７】
ここにおいて、スイッチ装置８をオンとしているときに、栓刃２０，２１間に流れる電流値が定格値以下である場合には、過電流検知回路は検知信号を出力しないが、前記電流値が定格値を越えた場合には、過電流検知回路が、前記電流値が定格値を越えたことを検知して、過電流検知回路から検知信号が出力される。この検知信号は、報知回路に入力され、報知回路は、検知信号を受け取ると、発光ダイオード４２及びブザー４３に動作電源を供給し、これにより発光ダイオード４２が発光して、電流値が定格値を越えたことを使用者に視覚的に報知するとともに、ブザー４３が所定の警報音を出力して、電流値が定格値を越えたことを使用者に聴覚的にも報知するのである。このように視覚及び聴覚の２通りの報知を行うことで、使用者に異常が生じていることを気づかせ易くしている。
【００６８】
しかも、このように電流値が定格値を越えたことが報知された際には、使用者は、アダプタ部Ａ１をコンセント２００から外さなくても、スイッチ部Ａ２のスイッチ装置８を操作することによって、コンセント２００とプラグ３００との間の通電をオンオフすることができるから、異常時に素早い対応が可能になる。
【００６９】
以上述べたように本実施形態のアダプタＡによれば、一対の栓刃２０，２１間に流れる電流値を検出し、該電流値が定格値を越えた際に検知信号を出力する過電流検知回路と、検知信号を受け取った際に、発光ダイオード４２の発光と、ブザー４３の発音とによって視覚的及び聴覚的に、電流値が定格値を越えたことを使用者に知らせる報知回路とを備えるから、ブレーカがトリップ動作する前に、アダプタＡに流れる電流値が定格値を越えたことを使用者に知らせることができ、これにより、コンセント等の配線器具や、アダプタ自身、さらには負荷として接続される機器等に異常発熱が生じたりすることを早期に防止できて、これら配線器具等を安全に使用することができる。
【００７０】
また、このアダプタＡでは、図１（ａ）に示すように、コンセント２００に接続されるアダプタ部Ａ１のアダプタ本体１の幅寸法ｔ１を、連用形配線器具に用いられる一連用プレート２０１における幅寸法ｔ２と略等しくしているから、図７（ａ），（ｂ）に示す比較例のようにアダプタ本体１の幅寸法ｔ１を幅寸法ｔ２よりも小さくしている場合とは異なり、アダプタ部Ａ１にプラグ３００を接続する際に一連用プレート２０１にプラグ３００の栓刃が当たって一連用プレート２０１に傷が入ったり、一連用プレート２０１が邪魔になってプラグ３００をアダプタ部Ａ１に正しく接続できなくなったり、プラグ３００をアダプタ部Ａ１に接続した際にアダプタ部Ａ１がコンセント２００から外れてしまう等のプラグの接続時の不具合を防止できる。
【００７１】
さらに、図１（ｃ）に示すように、アダプタ本体１の幅方向の側面において、一対の栓刃２０，２１に近接する位置にコンセント部Ｃを設けているから、コンセント部Ｃにプラグ３００を接続する際等に一対の栓刃２０，２１にかかるモーメント（主に一対の栓刃２０，２１の突出方向を回転軸方向とするモーメント）を低減できて、栓刃２０，２１の変形や、アダプタ本体１等の破損を防止することができる。尚、コンセント部Ｃを設ける位置としては、コンセント部Ｃの一対の栓刃挿入孔１８ａ，１８ｂ間の中間部位を通るセンターラインＣＬ１（図１（ｃ）参照）と、栓刃２０，２１の幅方向（図１（ｃ）における上下方向）における中間部位を通るセンターラインＣＬ２（図１（ｃ）参照）とが一致する位置が、一対の栓刃２０，２１の突出方向を回転軸方向とするモーメントを最も低減できるため好ましい。
【００７２】
加えて、アダプタ本体１では、上述したように、表示素子である発光ダイオード４２の光をアダプタ本体１の外方に出射する窓孔１１ｃが、アダプタ本体１の前面側及び上面側の両側に開口した形状となっているから、図８（ａ），（ｂ）に示す比較例のように窓孔１１ｃの形状をアダプタ本体１の前面にのみ開口するような円形状のものとしている場合とは異なり、アダプタ本体１から上方に向かう発光ダイオード４２の光の量が増え、図１（ｃ）に示すように、施工面Ｘにおける床面Ｙ近傍に設けられた埋め込みコンセント２００にアダプタ部Ａ１を接続した状態でも、発光ダイオード４２の光が見易くなり、これにより使用者への報知を確実に行える。
【００７３】
一方、本実施形態のアダプタＡは、波動スイッチからなるスイッチ装置８の操作つまみ８ｃを、アダプタ本体１とは別体のスイッチ本体７に設けているから、アダプタ部Ａ１のアダプタ本体１が図１（ｃ）に示すように、施工面Ｘにおける床面Ｙ近傍に設置されていても、スイッチ部Ａ２のスイッチ本体７を、施工面Ｘにおいて操作しやすい高さ位置に設置することが可能になり、これによりアダプタ本体１にスイッチ装置８の操作つまみ８ｃを設ける場合に比べて、かがみこんだりしなくてもスイッチ装置８の操作を行えるから、スイッチ装置８の操作がし易くなる。
【００７４】
また、スイッチ装置８の操作つまみ８ｃを、スイッチ本体７の前面から面方向に突出しないように凹設された凹部７１ｂの底面に設けているから、使用者の身体等が操作つまみ８ｃに当たって、予期せずにスイッチ装置８の操作が行われてしまうことを防止できる。しかも、凹部７１ｂは、図２（ａ），（ｂ）に示すように、操作つまみ８ｃの揺動軸方向に交差する方向（本実施形態ではスイッチ本体７の幅方向）における両側壁部が開口しているから、図９（ａ），（ｂ）及び図１０（ｂ）に示す比較例のように凹部７１ｂに幅方向における両側壁部７１ｄ，７１ｄがある場合とは異なり、操作つまみ８ｃを指Ｆで操作する際に、図１０（ａ）に示すように、両側壁部が邪魔になることがなくなって、操作つまみ８ｃの操作性を向上できる。
【００７５】
尚、アダプタ部Ａ１のアダプタ本体１の幅寸法ｔ１は、一連用プレート２０１の幅寸法ｔ２と等しい大きさに限られるものではなく、ｔ２以上の大きさであれば、上述した効果を得ることができるが、ｔ１をｔ２と等しい大きさとするほうが、アダプタ部Ａ１をコンパクトにできるため好ましい。
【００７６】
また尚、本実施形態のアダプタ部Ａ１は、幅方向における両側面にコンセント部Ｃを備えるものであるから、アダプタ本体１の幅寸法ｔ１を一連用プレート２０１の幅寸法ｔ２と等しくしているが、アダプタ本体１に幅方向における一方の側面にのみコンセント部Ｃを設けたものであってもよく、この場合は、アダプタ本体１における一対の栓刃２０，２１間の中間位置からコンセント部Ｃが設けられた側面までの間の長さ寸法を、一連用プレート２０１における幅寸法の半分以上の大きさとすれば、同様に、プラグの接続時の不具合を防止できる。さらにアダプタ部Ａ１に設けるコンセント部Ｃの数としては、上記の例のように幅方向の側面に１つずつの計２つに限られるものではなく、幅方向の側面に２つずつ計４つ設けるようにしてもよく、適宜変更すればよい。
【００７７】
（実施形態２）
本実施形態のアダプタＢは、上記実施形態１のアダプタＡとは異なり、アダプタ部とスイッチ部とを一体としていることに特徴がある。尚、上記実施形態１のアダプタＡと同様の構成については、同一の符号を付して説明を省略する。また尚、以下の説明では、図１１（ａ）の上方をアダプタＢの上方とし、図１１（ａ）の下方をアダプタＢの下方とし、図１１（ａ）の紙面手前方をアダプタＢの前方とし、図１１（ａ）の紙面奥方をアダプタＢの後方とし、図１１（ａ）の左右方向をアダプタＢの幅方向とするが、これは説明の簡略化のためであって、アダプタＢの使用形態が上記の方向に限られることを意味するものではない。
【００７８】
アダプタＢは、図１１（ａ）〜（ｃ）に示すように、壁面等の施工面Ｘにおける床面Ｙ近傍（図中にｄで示す長さが約３０ｃｍ）に設けられた埋め込みコンセント２００と該コンセント２００に接続可能なプラグ３００との間に介装されるものであって、アダプタ本体１００と、アダプタ本体１００の後面から該後面の面方向に突出するとともに、前記後面の面方向に交差する（本実施形態では直交する）アダプタ本体１００の幅方向（図１１（ａ）における左右方向）において並行する一対の栓刃２０，２１と、アダプタ本体１００の幅方向の両側面に設けられるとともに、一対の栓刃２０，２１と電気的に接続されるプラグ３００用のコンセント部Ｃと、一対の栓刃２０，２１間に流れる電流値を検出し、該電流値が定格値を越えた際に検知信号を出力する過電流検知手段となる過電流検知回路、及び検知信号を受け取った際に、電流値が定格値を越えたことを使用者に知らせる報知手段となる報知回路を有する回路ブロック４と、一対の栓刃２０，２１からコンセント部Ｃへの通電をオンオフするスイッチ装置８０とを備えている。
【００７９】
最初に、アダプタ本体１００に収納される部材について説明する。尚、アダプタ本体１００には、図１２に示すように、一対の栓刃２０，２１と、第１の端子板３０と、第２の端子板３１と、回路ブロック４と、スイッチ装置８０とが収納されるのであるが、一対の栓刃２０，２１と、第１の端子板３０と、第２の端子板３１と、回路ブロック４とについては、上記実施形態１で述べたものと同様のものであるから説明を省略し、スイッチ装置８０についてのみ説明する。
【００８０】
スイッチ装置８０は、図１２に示すように、波動スイッチ（シーソースイッチともいう）であって、電気的に接続された一対の端子部８１ａ，８１ｂと、図示しない接点機構により通電がオンオフされる一対の端子部８２ａ，８２ｂと、前記接点機構を操作するための操作つまみ８３と、これらが収納される本体部８４とを備えている。ここにおいて、スイッチ装置８０の端子部８１ａは接続線９０を用いて栓刃２１に接続され、端子部８２ａは接続線９１を用いて栓刃２０に接続され、端子部８２ｂは接続線９２を用いて第１の端子板３０に接続されている。
【００８１】
次に、これらの部材を収納するアダプタ本体１００について説明する。アダプタ本体１００は、図１２に示すように、後面が開口した箱状のアダプタボディ１１０と、アダプタボディ１１０の後面開口を覆うアダプタカバー１１７とで構成されており、これらアダプタボディ１１０とアダプタカバー１１７は、ともに合成樹脂製のものであり、その幅寸法ｔ４は、図１１（ａ）に示すように、埋め込みコンセント２００等の連用形配線器具に用いられる一連用プレート２０１における幅寸法ｔ２（一般的には７０ｍｍ）と同じ大きさとしている。
【００８２】
アダプタボディ１１０は、上述したように後面が開口した箱状に形成されており、その内部は、図１３に示すように、上側の幅方向中央部の表示素子収納部１１１と、表示素子収納部１１１より下方の端子収納部１１２と、端子収納部１１２より下方のスイッチ収納部１１３と、スイッチ収納部１１３より下方の回路収納部１１４とに仕切られている。
【００８３】
ここにおいて、表示素子収納部１１１は、発光ダイオード４２をプリント基板４０Ｂとともに収納するための空間部であり、表示素子収納部１１１における幅方向の両内壁部１１１ａ，１１１ａには、幅方向において対向する部位にプリント基板４０Ｂの縁部が嵌入される溝部１１１ｂ，１１１ｂが形成されており、また、アダプタボディ１１０において表示素子収納部１１１に対応する部位には、表示素子収納部１１１内に収納した発光ダイオード４２の光をアダプタ本体１００から外方へ出射させる窓孔１１１ｃが形成されており、この窓孔１１１ｃは、アダプタボディ１１０の前面側及び上面側（つまりはアダプタ本体１００の前面側及び上面側）の両側に開口した形状となっている。
【００８４】
このようなアダプタボディ１１０の窓孔１１１ｃには、図１１（ａ），（ｂ）に示すように、ランプカバー１１５が取り付けられており、このランプカバー１１５は、例えば、透光性の樹脂を用いた樹脂成形品であって、窓孔１１１ｃの全面を覆うカバー部１１５ａと、カバー部１１５ａの後端面から後方へ突設された一対の取付爪１１５ｂ，１１５ｂとを一体に備え、取付爪１１５ｂ，１１５ｂを窓孔１１１ｃからアダプタボディ１１０内に差し入れて、表示素子収納部１１１の底面にそれぞれ引掛けることで、アダプタボディ１１０に固定される。
【００８５】
端子収納部１１２は、栓刃２０、２１、及び端子板３０，３１を収納するための空間部であり、隔壁１１２ｅによってアダプタボディ１１０の上下方向に２分されて、下側が第１の端子板３０を収納する第１収納部１１２Ａとして用いられ、上側が各栓刃２０，２１及び第２の端子板３１を収納する第２収納部１１２Ｂとして用いられる。また、第１収納部１１２Ａにおける長手方向両側壁部（アダプタボディ１１０の幅方向における両側壁部）には、アダプタボディ１００の内外を連通する開口部１１２ａ，１１２ｂが形成されている。同様に、第２収納部１１２Ｂにおける長手方向両側壁部（アダプタボディ１１０の幅方向における両側壁部）には、アダプタボディ１１０の内外を連通する開口部１１２ｃ，１１２ｄが形成されており、さらに、第２収納部１１２Ｂにおける短手方向（図１３における上下方向）の側壁部には、栓刃２０を固定するための溝部１１２ｆ，１１２ｇと、栓刃２１を固定するための溝部１１２ｈ，１１２ｉとが形成されている。
【００８６】
スイッチ収納部１１３は、スイッチ装置８０を収納するための空間部であり、このスイッチ収納部１１３に対応するアダプタボディ１１０の前面には、凹部１１０ｂが設けられており、この凹部１１０ｂの底部には、スイッチ収納部１１３に収納されたスイッチ装置８０の操作つまみ８３をアダプタボディ１１０の前面側へ突出させる開口部１１０ｃが形成されている。尚、図１１（ｃ）に示すように、この凹部１１０ｂの深さ寸法（つまりは、アダプタボディ１１０の前面と凹部１１０ｂの底面との間の長さ寸法）は、開口部１１０ｃから操作つまみ８３を突出させた際に、操作つまみ８３がアダプタボディ１１０の前面よりも面方向に突出しないような大きさに設定されている。
【００８７】
回路収納部１１４は、主に回路ブロック４を収納するための空間部であり、幅方向の一端側（図１３における右側）には、回路ブロック４固定用のリブ１１４ａが設けられ、幅方向の他端側（図１３における左側）には、回路ブロック４取付用の取付ねじＳ１が螺着されるねじ孔１１４ｂを備えた円筒状のボス部１１４ｃが設けられている。また、回路収納部１１４の底壁部にあたるアダプタボディ１１０の前壁部には、ブザー４３が嵌入される略円筒形状のリブ１１４ｄが設けられるとともに、アダプタボディ１１０の前壁部におけるリブ１１４ｄで囲まれた部位にはブザー４３により出力される音をアダプタ本体１００から外部へ伝搬するための孔等を備えたスピーカ部１１４ｅが設けられている。
【００８８】
尚、アダプタボディ１１０の前壁部における後面の四隅部には、アダプタカバー１１７をアダプタボディ１１０に結合するための組立ねじＳ２が螺着されるねじ孔１１６ａを備えた円筒状のボス部１１６が一体に突設されている。
【００８９】
アダプタカバー１１７は、図１２に示すように、前面が開口した箱状に形成されており、その幅方向における一方の側壁部には、アダプタボディ１１０の開口部１１２ａ，１１２ｃとそれぞれ連通してプラグの栓刃が挿入される一対の栓刃挿入孔１１８ａ，１１８ｂを構成する開口部１１７ａ，１１７ｃが形成されている。同様に、アダプタカバー１１７の幅方向における他方の側壁部には、図１１（ｃ）に示すように、アダプタボディ１１０の開口部１１２ｂ，１１２ｄとそれぞれ連通してプラグの栓刃が挿入される一対の栓刃挿入孔１１９ａ，１１９ｂを構成する開口部１１７ｂ，１１７ｄが形成されている。
【００９０】
一方、アダプタカバー１１７の底壁部（アダプタ本体１００の後壁部）には、アダプタボディ１１０に固定された栓刃２０及び栓刃２１をそれぞれ外方へ突出するための略矩形状の挿通孔１１７ｆ，１１７ｇが形成されている。さらに、前記底壁部の四隅部において、アダプタボディ１１０のねじ孔１１６ａに対応する部位には、アダプタカバー１１７をアダプタボディ１１０に結合するための組立ねじＳ２が挿通されるねじ挿通孔１１７ｈが設けられており、アダプタカバー１１７をアダプタボディ１１０に被せた際には、各ねじ挿通孔１１７ｈとねじ孔１１６ａとがそれぞれ連通するようにしている。
【００９１】
加えて、アダプタカバー１１７には、その後面（つまりはアダプタ本体１００の後面）において、アダプタＢを施工面Ｘに設けられた埋め込みコンセント２００に接続した際に施工面Ｘと対向する部位である下端側に、図１１（ｃ）に示すように、施工面Ｘと当接する一対の突起部１１７ｉ，１１７ｉが一体に突設されている。
【００９２】
アダプタＢは、上記の部材から構成されており、以下にアダプタＢの組み立て方法について簡単に説明する。
【００９３】
まず、栓刃２０，２１と端子板３０，３１とをアダプタボディ１１０の端子収納部１１２に収納するのであるが、この作業は、次のようにして行われる。すなわち、図１３に示すように、第１の端子板３０を、端子収納部１１２の第１収納部１１２Ａに、一方の刃受ばね３０ａ，３０ａを開口部１１２ａから、他方の刃受ばね３０ｂ，３０ｂを開口部１１２ｂから外部に臨ませた状態で収納するとともに、上述したように栓刃２１が固定された第２の端子板３１を、端子収納部１１２の第２収納部１１２Ｂに、一方の刃受ばね３１ａ，３１ａを開口部１１２ｃから、他方の刃受ばね３１ｂ，３１ｂを開口部１１２ｄから外部に臨ませ、且つ、栓刃２１の平板部２１ａの基部を溝部１１２ｈ，１１２ｉに嵌入した状態で収納する。この後に、栓刃２０の平板部２０ａの基部を第２収納部１１２Ｂの溝部１１２ｆ，１１２ｇに嵌入することで、栓刃２０をアダプタボディ１１０に固定する。このとき、栓刃２０と第２の端子板３１とが接触導通しないようにしてあり、栓刃２０の平板部２０ａにおいて第２の端子板３１と対向する部位には、図１２に示すように、絶縁距離確保用の切欠２０ｃが形成されている。
【００９４】
次に、スイッチ装置８０をスイッチ収納部１１３に、スイッチ装置８０の操作つまみ８３をアダプタボディ１１０の開口部１１０ｃから外方へ突出させた状態で収納する。そして、スイッチ装置８０の端子部８１ａに一端が接続された接続線９０の他端を栓刃２１の端子部２１ｂに絡げて半田付けし、スイッチ装置８０の端子部８２ａに一端が接続された接続線９１の他端を栓刃２０の端子部２０ｂに絡げて半田付けし、スイッチ装置８０の端子部８２ｂに一端が接続された接続線９２の他端を第１の端子板３０の端子片３０ｄに絡げて半田付けし、これにより、端子部８１ａと栓刃２１、端子部８２ａと栓刃２０、端子部８２ｂと第１の端子板３０とがそれぞれ電気的に接続される。
【００９５】
この後に、回路ブロック４のブザー４３を回路収納部１１３のリブ１１３ｄに嵌入することで、ブザー４３をアダプタボディ１１０に固定し、回路ブロック４のプリント基板４０Ｂを表示素子収納部１１１の溝部１１１ｂ、１１１ｂ間に嵌入することで、プリント基板４０Ｂをアダプタボディ１１０に固定する。このとき、発光ダイオード４２の光軸をアダプタ本体１００の前方に対してやや上方に向けた状態で、発光ダイオード４２を、ランプカバー１１５が取り付けられた窓孔１１１ｃからアダプタ本体１００の外方へ臨ませる。
【００９６】
また、回路ブロック４のプリント基板４０Ａを、プリント基板４０Ａの切欠部４０ａとリブ１１４ａとを凹凸嵌合させるとともに、プリント基板４０Ａのねじ挿通孔４０ｂを介して組立ねじＳ１をボス部１１４ｃのねじ孔１１４ｂに螺着することで、アダプタボディ１１０に固定する。そして、回路ブロック４の接続線Ｌ１を接続線９２の分岐用部位Ｒ（図１２参照）に、カレントトランス４１に貫挿された接続線Ｌ２を第１の端子板３０の端子片３０ｄに、接続線Ｌ３を栓刃２１の端子部２１ｂと電気的に接続されたスイッチ装置８０の端子部８１ｂに、それぞれ半田付け等により接続する。
【００９７】
最後に、アダプタボディ１１０とアダプタカバー１１７とを結合するのであるが、この作業は、アダプタボディ１１０に固定した栓刃２０，２１をアダプタカバー１１７の挿通孔１１７ｆ，１１７ｇからそれぞれ後方へ突出させた状態で、アダプタカバー１１７をアダプタボディ１１０に被せ、アダプタカバー１１７のねじ挿通孔１１７ｈを介して組立ねじＳ２をアダプタボディ１１０のボス部１１６のねじ孔１１６ａにそれぞれ螺着することで行われる。
【００９８】
これにより、図１１（ａ）〜（ｃ）に示すようなアダプタＢが完成し、このアダプタＢでは、アダプタボディ１１０の開口部１１２ａ，１１２ｃとアダプタカバー１１７の開口部１１７ａ，１１７ｃとからなる一対の栓刃挿入孔１１８ａ，１１８ｂと、各栓刃挿入孔１１８ａ，１１８ｂに対応して配置された各一対の刃受ばね３０ａ，３０ａ及び刃受ばね３１ａ，３１ａとによって、プラグ３００が接続されるコンセント部Ｃが構成され、同様に、アダプタボディ１１０の開口部１１２ｂ，１１２ｄとアダプタカバー１１７の開口部１１７ｂ，１１７ｄとからなる一対の栓刃挿入孔１１９ａ，１１９ｂと、各栓刃挿入孔１１９ａ，１１９ｂに対応して配置された各一対の刃受ばね３０ｂ，３０ｂ及び刃受ばね３１ｂ，３１ｂとによって、プラグ３００が接続されるコンセント部Ｃが構成されている。つまり、このアダプタＢは、後面にコンセント２００に接続する一対の栓刃２０，２１を備えるとともに、幅方向における両側面に、プラグ３００が接続されるコンセント部Ｃをそれぞれ備えているのである。
【００９９】
以上説明したアダプタＢは、図１１（ａ）〜（ｃ）に示すような埋め込みコンセント２００に一対の栓刃２０，２１を用いて接続されるとともに、コンセント部Ｃにプラグ３００が接続された状態で使用される。
【０１００】
そして、この状態では、コンセント２００、栓刃２０、接続線９１、スイッチ装置８０の端子部８２ａ、スイッチ装置８０の接点機構、スイッチ装置８０の端子部８２ｂ、接続線９２、第１の端子板３０、プラグ３００、第２の端子板３１、栓刃２１、コンセント２００の経路が構成されているので、スイッチ装置８０の操作つまみ８３を操作することによって、接続線９１，９２間の通電、すなわち、栓刃２０と、第１の端子板３０との間の通電がオンオフされることになり、これによりコンセント２００からプラグ３００へ電力供給のオンオフを行うことができるようになっている。
【０１０１】
ここにおいて、スイッチ装置８０をオンとしているときに、栓刃２０，２１間に流れる電流値が定格値以下である場合には、過電流検知回路は検知信号を出力しないが、前記電流値が定格値を越えた場合には、過電流検知回路が、前記電流値が定格値を越えたことを検知して、過電流検知回路から検知信号が出力される。この検知信号は、報知回路に入力され、報知回路は、検知信号を受け取ると、発光ダイオード４２及びブザー４３に動作電源を供給し、これにより発光ダイオード４２が発光して、電流値が定格値を越えたことを使用者に視覚的に報知するとともに、ブザー４３が所定の警報音を出力して、電流値が定格値を越えたことを使用者に聴覚的にも報知するのである。このように視覚及び聴覚の２通りの報知を行うことで、使用者に異常が生じていることを気づかせ易くしている。
【０１０２】
しかも、このように電流値が定格値を越えたことが報知された際には、使用者は、アダプタＢをコンセント２００から外さなくても、スイッチ装置８０を操作することによって、コンセント２００とプラグ３００との間の通電をオンオフすることができるから、異常時に素早い対応が可能になる。
【０１０３】
以上述べたように本実施形態のアダプタＢによれば、上記実施形態１のアダプタＡと同様に、一対の栓刃２０，２１間に流れる電流値を検出し、該電流値が定格値を越えた際に検知信号を出力する過電流検知回路と、検知信号を受け取った際に、発光ダイオード４２の発光と、ブザー４３の発音とによって視覚的及び聴覚的に、電流値が定格値を越えたことを使用者に知らせる報知回路とを備えるから、ブレーカがトリップ動作する前に、アダプタＡに流れる電流値が定格値を越えたことを使用者に知らせることができ、これにより、コンセント等の配線器具や、アダプタ自身、さらには負荷として接続される機器等に異常発熱が生じたりすることを早期に防止できて、これら配線器具等を安全に使用することができる。
【０１０４】
また、図１１（ａ）に示すように、コンセント２００に接続されるアダプタＢのアダプタ本体１００の幅寸法ｔ４を、連用形配線器具に用いられる一連用プレート２０１における幅寸法ｔ２と略等しくしているから、アダプタＢにプラグ３００を接続する際に一連用プレート２０１にプラグ３００の栓刃が当たって一連用プレート２０１に傷が入ったり、一連用プレート２０１が邪魔になってプラグ３００をアダプタＢに正しく接続できなくなったり、プラグ３００をアダプタＢに接続した際にアダプタＢがコンセント２００から外れてしまう等のプラグの接続時の不具合を防止できる。
【０１０５】
さらに、図１１（ｃ）に示すように、アダプタ本体１００の幅方向の側面において、一対の栓刃２０，２１に近接する位置にコンセント部Ｃを設けているから、コンセント部Ｃにプラグ３００を接続する際等に一対の栓刃２０，２１にかかるモーメント（主に一対の栓刃２０，２１の突出方向を回転軸方向とするモーメント）を低減できて、栓刃２０，２１の変形や、アダプタ本体１００等の破損を防止することができる。尚、コンセント部Ｃを設ける位置としては、コンセント部Ｃの一対の栓刃挿入孔１１９ａ，１１９ｂ間の中間部位を通るセンターラインＣＬ１（図１１（ｃ）参照）と、栓刃２０，２１の幅方向（図１１（ｃ）における上下方向）における中間部位を通るセンターラインＣＬ２（図１１（ｃ）参照）とが一致する位置が、一対の栓刃２０，２１の突出方向を回転軸方向とするモーメントを最も低減できるため好ましい。
【０１０６】
加えて、表示素子である発光ダイオード４２の光をアダプタ本体１００の外方に出射する窓孔１１１ｃが、アダプタ本体１００の前面側及び上面側の両側に開口した形状となっているから、アダプタ本体１００から上方に向かう発光ダイオード４２の光の量が増え、図１１（ｃ）に示すように、施工面Ｘにおける床面Ｙ近傍に設けられた埋め込みコンセント２００にアダプタＢを接続した状態でも、発光ダイオード４２の光が見易くなり、これにより使用者への報知を確実に行える。
【０１０７】
一方、本実施形態のアダプタＢは、波動スイッチからなるスイッチ装置８０の操作つまみ８３を、アダプタ本体１００の前面から面方向に突出しないように凹設された凹部１１０ｂの底面に設けているから、使用者の身体等が操作つまみ８３に当たって、予期せずにスイッチ装置８０の操作が行われてしまうことを防止できる。しかも、アダプタ本体１００の前面において、一対の栓刃２０，２１に近接する位置に操作つまみ８３を設けているから、操作つまみ８３を指Ｆで押し操作する際に一対の栓刃２０，２１にかかるモーメント（主にアダプタ本体１００の幅方向を回転軸方向とするモーメント）を低減でき、これにより操作つまみ８３の操作時にアダプタ本体１００が傾きにくくなってコンセント２００に接続した栓刃２０，２１が一部露出したりすることを抑制できる。尚、操作つまみ８３を設ける位置としては、操作つまみ８３の上下方向における中間部位を通るセンターラインＣＬ３（図１１（ｃ）参照）と、上記のセンターラインＣＬ２（図１１（ｃ）参照）とが一致する位置が、アダプタ本体１００の幅方向を回転軸方向とするモーメントを最も低減できるため好ましい。
【０１０８】
しかし、上記のように操作つまみ８３を配置することで、操作つまみ８３の操作時にアダプタ本体１００が傾きにくくしたとしても、使用者が操作つまみ８３を操作する力が強いと、図１４に示すように、アダプタ本体１００が傾いて、コンセント２００に接続された栓刃２０，２１が一部露出してしまうおそれがある。
【０１０９】
そのため、本実施形態のアダプタＢでは、上述したように、アダプタカバー１１７に施工面Ｘと当接する突起部１１７ｉ，１１７ｉを設けている。つまり、アダプタＢを施工面Ｘに設けられた埋め込みコンセント２００に接続した際には、図１１（ｃ）に示すように、アダプタカバー１１７に設けた突起部１１７ｉ，１１７ｉが施工面Ｘと当接するから、操作つまみ８３の操作時に栓刃２０，２１にはモーメント（主にアダプタ本体の幅方向を回転軸方向とするモーメント）がかからなくなり、これにより操作つまみ８３の操作時にアダプタ本体１００が傾くことがなくなってコンセント２００に接続した栓刃２０，２１が一部露出することを確実に防止できるようにしている。また、このような突起部１１７ｉ，１１７ｉを設けたことによって、アダプタＢをコンセント２００に接続した際に、アダプタ本体１００の設置状態が安定し、これにより、操作つまみ８３の操作が行い易くなる。
【０１１０】
尚、アダプタＢのアダプタ本体１００の幅寸法ｔ４は、一連用プレート２０１の幅寸法ｔ２と等しい大きさに限られるものではなく、ｔ２以上の大きさであれば、上述した効果を得ることができるが、ｔ４をｔ２と等しい大きさとするほうが、アダプタＢをコンパクトにできるため好ましい。
【０１１１】
また尚、本実施形態のアダプタＢは、幅方向における両側面にコンセント部Ｃを備えるものであるから、アダプタ本体１００の幅寸法ｔ４を一連用プレート２０１の幅寸法ｔ２と等しくしているが、アダプタ本体１００の幅方向における一方の側面にのみコンセント部Ｃを設けたものであってもよく、この場合は、アダプタ本体１００における一対の栓刃２０，２１間の中間位置からコンセント部Ｃが設けられた側面までの間の長さ寸法を、一連用プレート２０１における幅寸法の半分以上の大きさとすれば、同様に、プラグの接続時の不具合を防止できる。さらにアダプタＢに設けるコンセント部Ｃの数としては、上記の例のように幅方向の側面に１つずつの計２つに限られるものではなく、幅方向の側面に２つずつ計４つ設けるようにしてもよく、適宜変更すればよい。
【図面の簡単な説明】
【０１１２】
【図１】（ａ）は、本発明の実施形態１のアダプタの要部の前面図であり、（ｂ）は、上面図であり、（ｃ）は、側面図である。
【図２】（ａ）は、本発明の実施形態１のアダプタの前面図であり、（ｂ）は、側面図である。
【図３】アダプタ部の分解斜視図である。
【図４】スイッチ部の分解斜視図である。
【図５】（ａ）は、アダプタ部の内部構造を示す概略説明図であり、（ｂ）は、スイッチ部の内部構造を示す概略説明図である。
【図６】（ａ）は、本実施形態のプリント基板の分断前の説明図であり、（ｂ）は、本実施形態のプリント基板の分断後の説明図であり、（ｃ）は、比較例のプリント基板の分断前の説明図であり、（ｄ）は、比較例のプリント基板の分断後の説明図である。
【図７】（ａ）は、比較例のアダプタの要部の前面図であり、（ｂ）は、上面図である。
【図８】（ａ）は、さらに他の比較例のアダプタの要部の前面図であり、（ｂ）は、上面図である。
【図９】（ａ）は、比較例のスイッチ部の前面図であり、（ｂ）は、側面図である。
【図１０】（ａ）は、図２（ａ）のＤ１−Ｄ１線における部分断面図であり、（ｂ）は、図９（ａ）のＤ２−Ｄ２線における部分断面図である。
【図１１】（ａ）は、本発明の実施形態２のアダプタの前面図であり、（ｂ）は、上面図であり、（ｃ）は、側面図である。
【図１２】アダプタの分解斜視図である。
【図１３】アダプタの内部構造を示す概略説明図である。
【図１４】比較例のアダプタの側面図である。
【符号の説明】
【０１１３】
１    アダプタ本体
２０，２１  栓刃
２００    コンセント
２０１    一連用プレート
３００    プラグ
Ａ    アダプタ
Ｃ    コンセント部
Ｘ    施工面
Ｙ    床面
【図１】
2007103257.tif 000003
【図２】
2007103257.tif 000004
【図３】
2007103257.tif 000005
【図４】
2007103257.tif 000006
【図５】
2007103257.tif 000007
【図６】
2007103257.tif 000008
【図７】
2007103257.tif 000009
【図８】
2007103257.tif 000010
【図９】
2007103257.tif 000011
【図１０】
2007103257.tif 000012
【図１１】
2007103257.tif 000013
【図１２】
2007103257.tif 000014
【図１３】
2007103257.tif 000015
【図１４】
2007103257.tif 000016